(57)【要約】【課題】従来、被検者を天板に固定する際に被検者体形にあわせて被検者固定バンドの位置を変える場合、天板に貼り付けたベルクロテープから被検者固定バンドをその都度引き剥がして位置あわせする必要があった。さらに、天板幅よりも被検者が小さい場合は、被検者の固定が不十分となることがあった。【解決手段】天板にその断面がフック状のレールを天板の幅方向に複数本貼り付ける。被検者固定バンドの先端にはレールに引っかかる形状でかつ、レールに沿って移動可能なフックをとりつける。このフックはレールから着脱可能な形状となっている。これらの構成により、被検者の大きさにあわせてレールを選択し、被検者の体形にあわせて被検者固定バンドをスライドさせて任意の位置において被検者を十分に固定することが可能となる。【選択図】      図２
2004329524.tif 000002
【特許請求の範囲】
【請求項１】
被検者を載置可能な天板、
前記天板上の長手方向に対して平行して設けられた少なくとも２つのレール、一端が前記レールに嵌合可能な略Ｊ字形状であり、他端同士がお互いに接合または剥離自在な少なくとも一対のバンドを備えたことを特徴とする画像診断機器および治療機器用の寝台。
【請求項２】
前記接合または剥離自在なバンド接合剥離自在部はベルクロテープであることを特徴とする請求項１に記載の画像診断機器および治療機器用の寝台。
【請求項３】
前記バンドの一端は複数の略Ｊ字を並べた形状であり、前記レールは等しいピッチで少なくとも３つずつ天板の左右に設置されることを特徴とする請求項１に記載の画像診断機器および治療機器用の寝台。
【発明の詳細な説明】
【０００１】
【発明の属する技術分野】
本発明は、ＣＴ，ＭＲＩ，Ｘ線診断装置などの医療用診断装置や治療機器を使用する際に被検者を固定するための寝台に関する。特に本発明は天板と被検者を固定するための止着具を有する寝台に関する。
【０００２】
【従来の技術】
従来の技術では、画像診断装置を使用する際に被検者を寝台の天板に固定するには、例えば［特許文献１］に開示されるように、端部にベルクロテープを縫い付けた被検者固定用ベルトを複数用意して、天板上にこれらを対向して装着して、被検者の体格に合わせて適切な位置でベルクロテープを貼り付けて被検者を寝台に固定していた。（以下従来技術１と呼ぶ）
ベルクロテープの代用としてベルトの端部にフックやループを取り付け、フックとループを嵌合させて固定することもある。
【０００３】
この従来技術では、ベルクロテープや複数のフックとループなどの止着具の使用によって、任意の位置で寝台両側から伸びるバンド同士を止着させることができるため、被検者の体格に応じて一組あるいは複数組のベルトやバンドで被検者の固定に対応できるという利便がある。
【０００４】
また、［特許文献２］には、バンドを使用した固定をより迅速とするために、バンドの寝台との結合部を寝台に施した溝に勘合する構造として、被検者の体軸方向に移動可能としてある。寝台の両側から伸びたバンドの先端にはベルクロが施されて貼り付けられるようになっている。バンドは複数装着可能で寝台の溝に嵌合することで装着できる。（以下従来技術２と呼ぶ）
【０００５】
【特許文献１】
特開平９−１２２１１５号公報
【特許文献２】
特開平１０−５７３３５号公報
【０００６】
また、他の従来技術では、天板の左右の端部にベルクロテープを施して、同じく端部にベルクロテープを施したバンドを任意に複数個付け剥がしして被検者の固定を図っている。（従来技術３）
【０００７】
【発明が解決しようとする課題】
しかしながら、上記従来技術１では、バンドと寝台の位置は変更できないため、被検者の体格によっては固定がうまくいかない場合があった。例えば被検者の肋骨の直下にバンドがかかるような場合は痛みにより診断に差し支えがでる場合がある。また、上記従来技術２では、複数のバンドの組を必要に応じて寝台に装着でき、さらにその位置も体軸方向に移動できるものの、被検者の体軸に直交する横方向では体格に対応できない場合がある。また、寝台にバンドを装着するには寝台の端部から押し込まなくてはならないので装着に手間どることがある。
また、従来技術３においては、操作者が被検者の固定を行う際、体形にあわせて固定バンドの位置を変更する必要がある。固定の都度、固定バンドを天板から引き剥がし、位置を移動させて再び天板に貼り付ける必要があった。以上のように、従来技術では、被検者の固定にはかなりの労力が要求されている。
【０００８】
【課題を解決するための手段】
本発明は、上記のような固定バンドの設置準備を行うことなく、固定バンドの位置あわせを容易にすることを可能とするものである。
本発明の第１の特徴によれば、被検者を載置可能な天板、前記天板上の長手方向に対して平行して設けられた少なくとも２つのレール、一端が前記レールに嵌合可能な略Ｊ字形状であり他端がお互いに接合剥離自在な少なくとも２つのバンドを備えたことを特徴とする画像診断機器および治療機器用の寝台を提供する。
【０００９】
本発明の第２の特徴によれば、前記接合剥離自在なバンドの接合剥離部はベルクロテープであることを特徴とする本発明の第１の特徴に記載の画像診断機器および治療機器用の寝台を提供する。
【００１０】
本発明の第３の特徴によれば、前記バンドの一端は複数の略Ｊ字を並べた形状であり、前記レールは等しいピッチで少なくとも３つずつ天板の左右に設置されることを特徴とする本発明の第１の特徴に記載の画像診断機器および治療機器用の寝台を提供する。
【００１１】
【発明の実施の形態】
図１，２により、本発明の一実施例を説明する。図中、１は寝台、２は被検者、３は天板、４はレール、５は固定バンド、６はレール２と嵌合するフック、７はベルクロテープを示す。
【００１２】
図１は天板３に被検者２が横たわった状態を示す。この図ではまだ被検者２に固定バンド５を装着していない。被検者２が天板３に横たわった後に図２のような形状のレール４に固定バンド５を装着していない。被検者２が天板３に横たわった後に図２のような形状のレール４に固定バンド５を引っ掛けて止める。図２に示すように、天板の上面には、被検者２の横方向に平行に並んだレール４が設置される。レールの数は左右３本ずつの例を示しているが、もちろんこれに限らず多くても少なくても良い。レール４は、図３のように断面形状がフック状となっている。レール４の材質には特に限定がないが、被検者を固定しうるだけの強度のあるもので、使用するモダリティで問題とならない材質であることが要求される。たとえばＸ線を透過させて画像を得る場合はレール４はＸ線を透過して反射しないことが必要となる。
【００１３】
なお、固定バンド５の先端につけたフック６との嵌合を可能とするため、フック６とレール４の断面はそれぞれＪ字状となっている。このフック６は固定バンドの引っ張り方向においては、天板上のレール４に引っかかり固定されるが、固定バンド５は緩めるとレール４に沿って自由に移動することができる。さらに、この固定バンド５は天板側のレール４からは着脱可能な構造となっている。このように、天板３にはレール４が複数本設置されているため、被検者２の横方向の大きさにあわせて固定バンド５を引っ掛けるレール４を選択可能となっている。
【００１４】
このような手段を用いることにより、操作者が天板３に被検者２を固定する際、被検者４の体型にあわせて固定バンド５の位置を変更する場合には、その都度固定バンド５を天板３から引き剥がし、位置を移動させて再び天板３に貼り付けるという労力を払うことなく、固定バンド５の位置あわせが容易にできる。上述のように、固定バンド５は被検者の体型に合わせて横方向に任意の位置で固定できるため、被検者２と天板３との大小関係に係わりなく確実に被検者を固定することができる。
【００１５】
このように、操作者は被検者２を天板３に乗せ、被検者の大きさにあわせてレール４を選択し、被検者の体形にあわせて被検者固定バンド５をレール４に沿ってスライドさせて位置をあわせることにより、容易に被検者２を天板３に固定することが可能となり、被検者の大きさによらずに十分に被検者を固定することが可能となった。
【００１６】
図４には、本発明の別の実施例を示す。図３では一つのフックに対して一つのレールが嵌合していたが、本実施例では２つのレールに２つの係止部を有するフック６が嵌合している。これにより、被検者の固定強度や確実性を向上可能である。この際どのレールの組にもフックが係止できるようにするためには、レールの横方向のピッチを等しくしておく。
【００１７】
図５は、本発明のさらに別の実施例を示す。図１ではレール４の上部と被検者が横たわる部分が面一ではなかった。このため被検者は肩や腕にレールがあたって違和感を覚え、そのため静止していられないことがある。これを避けるためにレール４の上部と被検者が横たわる部分をほぼ同じ面上として被検者に心地のよい天板を提供できる。なお、図４では天板４と被検者が横たわる部分８は一体であるように表わされていますが、図１の被検者が横たわる部分の上に別のマットなどを敷いても同様の効果が発揮される。
【００１８】
【発明の効果】
以上のような構成により、このフック６は被検者固定バンド５の引っ張り方向においては、天板３のレール４に引っかかり固定されるが、被検者固定バンド５を緩めるとレール４に沿って被検者固定バンド５は自由に移動することが可能となり、被検者固定バンド５同士は端部のベルクロテープ７を組み合わせて貼り付けることにより任意の長さを実現できる。さらに、この被検者固定バンド５は天板３のレール４からは自由に着脱が可能であり、天板３はレール４を幅方向に複数本有するため、固定バンド５は、天板３上のレール４を自由に選択して固定することが可能となる。
【図面の簡単な説明】
【図１】本発明の一実施例による寝台の概略図。
【図２】本発明の一実施例による寝台の構造を示す図。
【図３】本発明の一実施例のフックとレールの嵌合部をしめす部分断面図。
【図４】本発明の別の実施例のフックとレールの嵌合部をしめす部分断面図。
【図５】本発明の別の実施例による寝台の構造を示す図。
【符号の説明】
１  寝台
２  被検者
３  天板
４  レール
５  被検者固定バンド
６  フック
７  バンド接合剥離自在部
８  被検者が横たわる部分
【図１】
2004329524.tif 000003
【図２】
2004329524.tif 000004
【図３】
2004329524.tif 000005
【図４】
2004329524.tif 000006
【図５】
2004329524.tif 000007